(57)【要約】【課題】蓋板の突き合わせた蓋板の合わせ目の強度を向上させて蓋板が箱の内側に押し込まれて凹んだりあるいは、蓋板がズレたりすることのない書類保存箱を提供。【解決手段】正面板１、第１の側板２、正面板１に対向する背面板３、第１の側板２に対向する第２の側板４が連設され、正面板１及び背面板３のそれぞれには突き合わせる蓋板９が連設され、蓋板９には折り曲げ可能に補強板１１が連設され、第１の側板２には蓋板９に形成されている切り込み１３に差し込む差込片が形成されている蓋板固定板１５が連設され、第２の側板４には補強板１１が差し込まれる切り込み２０が形成されている補強板固定板１７が連設された直方体からなる書類保存箱。【選択図】図２
2020026295.tif 000002
【特許請求の範囲】
【請求項１】
正面板、第１の側板、正面板に対向する背面板、第１の側板に対向する第２の側板が連設され、
正面板及び背面板のそれぞれには突き合わせる蓋板が連設され、
蓋板には折り曲げ可能に補強板が連設され、
第１の側板には補強板が差し込まれる切り込みが形成されている補強板固定板が連設され、
第２の側板には蓋板に形成されている切り込みに差し込む差込片が形成されている蓋板固定板が連設された直方体からなることを特徴とする書類保存箱。
【請求項２】
補強板の端に蓋固定板の側縁及び補強板固定板の側縁を係止する切欠きが形成されていることを特徴とする請求項１に記載の書類保存箱。
【発明の詳細な説明】
【技術分野】
【０００１】
本発明は、書類を保存するための書類保存箱に関する。
【背景技術】
【０００２】
書類あるいは文書を一定期間保存しなくてはならない場合に、書類を書類保存箱に収納して保存しており、特許文献１には、書類保存箱を管理するために箱の中身を管理できる保存箱管理ラベルを箱に貼付した保存箱が記載されている。保存箱管理ラベルには、法定保存年数、廃棄予定年月日、廃棄実施年月日等が表示されて管理される。特許文献２には、書類などの保管箱が記載されている。
【０００３】
図５及び図６は従来の書類保存箱の一例を示し、書類保存箱を展開した形状の図５に示めすブランクは、正面板３１、第１の側板３２、背面板３３、第２の側板３４が縦方向の折曲線３５により折り曲げ可能に一体に連設されており、正面板３１には第２の側板３４に貼着する貼着用板３６が折曲線３５により折り曲げ可能に連設され、正面板３１、第１の側板３２、背面板３３、第２の側板３４の下辺には分割された底板３７が横方向の折曲線３８により折曲可能に連設されている。
【０００４】
正面板３１及び背面板３３の上辺には、箱の開口部を突き合わせにより塞ぐ蓋を形成するため、蓋板３９が横方向の折曲線４０により折曲可能に連設されている。蓋板３９には、後述する蓋板固定板４２の差込片４３が差し込まれる切り込み４１が形成されている。
【０００５】
第１の側板３２及び第２の側板３４の上辺には、蓋板３９を固定する蓋板固定板４２が横方向の折曲線４０により折曲可能に連設され、蓋板固定板４２には折り曲げにより形成される差込片４３が連設されている。各側板３２，３４には、環状の取手切り込み用線４４が設けられ、押し込みにより取手孔４５が形成可能となっている。
【０００６】
図５に示すブランクの正面板３１、第１の側板３２、背面板３３、第２の側板３４が縦方向の折曲線３５に沿って折り曲げられ、正面板３１に連設された貼着用板３６が縦方向の折曲線３５に沿って折り曲げられて第２の側板３４に貼着され、正面板３１、第１の側板３２、背面板３３、第２の側板３４の下辺の底板３７が折り曲げられて重ねられ、貼着されて底板が形成され、図６（ａ）に示すように、蓋板３９及び蓋板固定板４２が起立した状態の上部が開放された直方体の書類保存箱が組み立てられる。
【０００７】
組み立てられた書類保存箱に、保存する書類を収納した後、図６（ｂ）に示すように、蓋板３９を折り曲げ、突き合わせて箱の開口部を閉めた後、蓋板固定板４２を折り曲げて差込片４３を蓋板３９の切り込み４１に差し込んで蓋板３９を固定する。
【０００８】
蓋を閉め終わると、蓋板３９の合わせ目に封印したり、開封の有無を確認したり、中身を管理したりするために管理情報を含む管理用のバーコードやＱＲコード（登録商標）が表示されている封緘シール等る表示物４６を貼着する。
【先行技術文献】
【特許文献】
【０００９】
【特許文献１】特開２０１４−０５５０１１号公報
【特許文献２】実用新案登録第３１６５５９９号公報
【発明の概要】
【発明が解決しようとする課題】
【００１０】
従来の保存箱は、蓋板が１枚で強度がないために取扱中に蓋板の合わせ目が箱の内側に押し込まれて凹んだりあるいは、蓋板がズレたりして蓋が開いたり損傷したりする問題があった。
【００１１】
そこで、本発明は、蓋板の突き合わせた蓋板の合わせ目の強度を向上させて蓋板が箱の内側に押し込まれて凹んだりあるいは、蓋板がズレたりすることのない書類保存箱を提供するものである。
【課題を解決するための手段】
【００１２】
本願請求項１の発明は、正面板、第１の側板、正面板に対向する背面板、第１の側板に対向する第２の側板が連設され、正面板及び背面板のそれぞれには突き合わせる蓋板が連設され、蓋板には折り曲げ可能に補強板が連設され、第１の側板には補強板が差し込まれる切り込みが形成されている補強板固定板が連設され、第２の側板には蓋板に形成されている切り込みに差し込む差込片が形成されている蓋板固定板が連設された直方体からなることを特徴とする書類保存箱である。
【００１３】
本願請求項２の発明は、補強板の端に蓋固定板の側縁及び補強板固定板の側縁を係止する切欠きが形成されていることを特徴とする請求項１に記載の書類保存箱である。
【発明の効果】
【００１４】
突き合わせた蓋板の補強板が垂直に係止されて蓋板の合わせ目が補強されて強度が向上するため、蓋板の合わせ目は押されても内側に凹んだりあるいは、蓋板がズレたりしないので、蓋が開いたり損傷したりするおそれがなくなる。また、突き合わせの蓋板の合わせ目が箱の内側に押し込まれるのを抑えて蓋板の合わせ目に貼付されている管理用封緘シールが破れたりあるいは外れたりするのを防止することができる。
【図面の簡単な説明】
【００１５】
【図１】本発明の書類保存箱を展開したブランクを示す図である。
【図２】本発明の書類保存箱の蓋を閉める前の状態を示す図である。
【図３】本発明の書類保存箱の蓋を閉めた状態を示す図である。
【図４】本発明の書類保存箱の蓋を閉めた別の状態を示す図である。
【図５】従来の書類保存箱の蓋を閉める前の状態を示す図である。
【図６】従来の書類保存箱の蓋を閉めた状態を示す図である。
【発明を実施するための形態】
【００１６】
本発明の実施例について図面を参照しながら説明する。
【実施例１】
【００１７】
本発明の書類保存箱は、書類保存箱を展開した図１に示す形状のブランクから直方体に形成される。ブランクは、厚紙、段ボールあるいは樹脂シートなどからなり、正面板１、第１の側板２、背面板３、第２の側板４が縦方向の折曲線５により折り曲げ可能に横方向に一体に連設されている。正面板１には第２の側板４に貼着する貼着用板６が縦方向の折曲線５により折り曲げ可能に連設されている。
【００１８】
正面板１、第１の側板２、背面板３及び第２の側板４の下辺には、これらを内側に折り曲げて形成した四角筒の底を形成する分割された底板７が横方向の折曲線８により折曲可能に連設されている。
【００１９】
正面板１及び背面板３の上辺には、箱の上の開口部を塞ぐ蓋を突き合わせにより形成するため、蓋板９が横方向の折曲線１０により折曲可能に連設されている。各蓋板９の上辺には、蓋板９が内側に凹むのを防止するために蓋板９の合わせ目を補強する補強板１１が横方向の折曲線１２により折曲可能に連設されている。蓋板９には、後述する蓋板固定板１５の差込片２１（図３）が差し込まれる切り込み１３が形成されている。また、補強板１１の両端には、蓋板９を閉じる際に蓋板固定板１５及び補強板固定板１７の側縁を係止する係止溝１４が形成されている。
【００２０】
第１の側板２の上辺には、蓋板９を固定する蓋板固定板１５が横方向の折曲線１６により折曲可能に連設され、折り曲げにより一対の差込片２１が形成される。差込片は、蓋板９の上から切り込み１３に差し込んで蓋板９を固定する。
【００２１】
第２の側板４の上辺には、各蓋板９の補強板１１を固定する補強板固定板１７が横方向の折曲線１０により折曲可能に連設されている。各側板２，４には、環状の取手切り込み用線１８が設けられ、押し込みにより取手孔１９が形成可能となっている。なお、取手孔は予めくり抜いて形成しておいてもよい。
【００２２】
補強板固定板１７には切り込み２０が設けられ、それぞれの蓋板９を閉じる際に垂直に折り曲げられた補強板１１が切り込み２０に差し込まれて係止される。補強板１１が蓋板９と垂直に曲げられて切り込み２０に差し込まれて係止されるので蓋板９の合わせ目が補強される。
【００２３】
次に、本発明の書類保存箱の組立及び使用方法について説明する。
【００２４】
図１に示すブランクの正面板１、第１の側板２、背面板３、第２の側板４が縦方向の折曲線５に沿って折り曲げられ、正面板１に連設された貼着用板６が縦方向の折曲線５に沿って折り曲げられて第２の側板４に貼着され、正面板１、第１の側板２、背面板３、第２の側板４の下辺の底板７が折り曲げられて重ねられ貼着されて底板が形成され、図２（ａ）に示すように、蓋板９、蓋板固定板１５、補強板固定板１７が起立した状態の上部が開放された直方体の書類保存箱Ｂが組み立てられる。
【００２５】
組み立てられた書類保存箱Ｂに、保存する書類を収納した後、図２（ｂ）に示すように、補強板固定板１７を書類保存箱の開口を塞ぐように水平に折り曲げ、対向するそれぞれの蓋板９の補強板１１を垂直に折り曲げ、蓋板９を折り曲げて補強板１１を、補強板固定板１７の切り込み２０に差し込んで固定する。
【００２６】
図３に示すように、蓋板９を閉めた後、蓋板固定板１５を折り曲げて差込片２１を形成する。次いで、図４（ａ）に示すように、蓋板９の切り込み１３に差し込んで蓋板９を固定する。
【００２７】
なお、蓋板固定板を隠して見えないようにする場合、図１のブランクに示す蓋板固定板１５、補強板固定板１７の側縁のそれぞれを補強板１１の両端の係止溝１４に差し込んで係止して固定し、図４（ｂ）に示すように、蓋板９で、蓋板固定板１５を覆って隠す。
【００２８】
蓋を閉め終わると、必要に応じて蓋板の合わせ目に封緘シール等の、管理するための表示物２２を貼り付け、保存箱を所定場所で保管する。
【符号の説明】
【００２９】
１：正面板              ２：第１の側板
３：背面板              ４：第２の側板
５：折曲線              ６：貼着用板
７：底板                ８：折曲線
９：蓋板              １０：折曲線
１１：補強板            １２：折曲線
１３：切り込み          １４：係止溝
１５：蓋板固定板        １６：折曲線
１７：補強板固定板      １８：取手切り込み用線
１９：取手孔            ２０：切り込み
２１：差込片            ２２：表示物
３１：正面板            ３２：第１の側板
３３：背面板            ３４：第２の側板
３５：折曲線            ３６：貼着用板
３７：底板              ３８：折曲線
３９：蓋板              ４０：折曲線
４１：切り込み          ４２：蓋板固定板
４３：差込片            ４４：取手切り込み用線
４５：取手孔            ４６：表示物
Ｂ：書類保存箱
【図１】
2020026295.tif 000003
【図２】
2020026295.tif 000004
【図３】
2020026295.tif 000005
【図４】
2020026295.tif 000006
【図５】
2020026295.tif 000007
【図６】
2020026295.tif 000008